(57)【要約】【課題】  本発明は、ＬＣＤの動画のぼけ感を抑制するとともに、画像の明るさも確保する工夫が施された電子カメラを提供する。【解決手段】  電子カメラは、撮像素子と、液晶表示部と、撮影モード切替部と、バックライト制御部と、を備える。撮像素子は、被写体を撮像して画像を生成する。液晶表示部は、画像を表示する液晶表示パネルと、液晶表示パネルの背面側に配置され、連続発光若しくはパルス発光するバックライトとを有する。撮影モード切替部は、動きのある被写体を撮影する撮影モードを含む複数の撮影モードの中から任意の撮影モードに切り替える。バックライト制御部は、撮影モードに応じてバックライトの発光状態を制御する。【選択図】    図３
2009260545.tif 000002
【特許請求の範囲】
【請求項１】
被写体を撮像して画像を生成する撮像素子と、
前記画像を表示する液晶表示パネルと、該液晶表示パネルの背面側に配置され、連続発光若しくはパルス発光するバックライトとを有する液晶表示部と、
動きのある被写体を撮影する撮影モードを含む複数の撮影モードの中から任意の撮影モードに切り替える撮影モード切替部と、
前記撮影モードに応じて前記バックライトの発光状態を制御するバックライト制御部と、を備えることを特徴とする電子カメラ。
【請求項２】
被写体を撮像して画像を生成する撮像素子と、
前記画像を表示する液晶表示パネルと、該液晶表示パネルの背面側に配置され、連続発光若しくはパルス発光するバックライトとを有する液晶表示部と、
前記バックライトの発光状態の設定条件をマニュアル操作で設定する操作部と、
前記操作部の設定条件に応じて前記バックライトの発光状態を制御するバックライト制御部と、
を備えることを特徴とする電子カメラ。
【請求項３】
被写体を撮像して画像を生成する撮像素子と、
前記画像を表示する液晶表示パネルと、該液晶表示パネルの背面側に配置され、連続発光若しくはパルス発光するバックライトとを有する液晶表示部と、
前記被写体の動きを検出する動き検出部と、
前記動き検出部の検出結果に応じて前記バックライトの発光状態を制御するバックライト制御部と、
を備えることを特徴とする電子カメラ。
【請求項４】
請求項１から請求項３のいずれか１項に記載の電子カメラにおいて、
前記バックライト制御部は、前記パルス発光のデューティ比を変えることにより前記バックライトの発光状態を制御することを特徴とする電子カメラ。
【請求項５】
請求項４に記載の電子カメラにおいて、
前記バックライト制御部は、前記パルス発光のデューティ比の変更に応じて、前記バックライトに供給する電流を制御することを特徴とする電子カメラ。
【請求項６】
請求項５に記載の電子カメラにおいて、
前記バックライト制御部は、前記パルス発光のデューティ比の変更に拘わらず、前記バックライトに供給する電流の積分値を一定に制御することを特徴とする電子カメラ。
【請求項７】
請求項１から請求項３のいずれか１項に記載の電子カメラにおいて、
前記パルス発光の発光状態に応じて、前記画像の輝度を補正する輝度補正部をさらに備えることを特徴とする電子カメラ。
【請求項８】
請求項１から請求項３のいずれか１項に記載の電子カメラにおいて、
焦点距離を変更するズーム制御部をさらに備え、
前記バックライト制御部は、前記焦点距離に応じて前記バックライトの発光状態を制御することを特徴とする電子カメラ。
【請求項９】
請求項１から請求項３のいずれか１項に記載の電子カメラにおいて、
前記バックライト制御部は、シャッタースピードの設定値に応じて、前記バックライトの発光状態を制御することを特徴とする電子カメラ。
【請求項１０】
請求項１に記載の電子カメラにおいて、
前記動きのある撮影モードが、スポーツシーンを撮影するスポーツモードであって、
前記バックライト制御部は、前記スポーツモードが選択された場合には、前記バックライトをパルス発光させることを特徴とする電子カメラ。
【発明の詳細な説明】
【技術分野】
【０００１】
本発明は、液晶表示機能を備える電子カメラに関する。
【背景技術】
【０００２】
従来より、液晶表示機能を備える電子カメラとして、電子ビューファインダ（ＥＶＦ：Ｅｌｅｃｔｒｉｃａｌ  Ｖｉｅｗ  Ｆｉｎｄｅｒ）を備える電子カメラが開示されている（例えば、特許文献１参照）。
【０００３】
ＥＶＦでは、一例として、液晶表示パネル（ＬＣＤ：Ｌｉｑｕｉｄ  Ｃｒｙｓｔａｌ  Ｄｉｓｐｌａｙ）の背面側に蛍光管やＬＥＤ（Ｌｉｇｈｔ  Ｅｍｉｔｔｉｎｇ  Ｄｉｏｄｅ）等のバックライトを配置している。
【０００４】
一般にＬＣＤはＣＲＴ（Ｃａｔｈｏｄｅ  Ｒａｙ  Ｔｕｂｅ）と比較して動画のぼけが目立つと言われている。そのため、電子カメラのファインダとしてＥＶＦを用いた場合、従来の光学式ファインダ（ＯＶＦ：Ｏｐｔｉｃａｌ  Ｖｉｅｗ  Ｆｉｎｄｅｒ）と比較して、ぼけ気味に見える場合が起こり得る。従って、動いている被写体を撮影しようとする場合には、いわゆるファインダ像が見えにくくなる。
【０００５】
そこで、ＬＣＤの動画画質を改善する技術として、「疑似インパルス駆動」と称される手法が知られている。この疑似インパルス駆動では、ＬＥＤのバックライトをパルス発光とすることで、動画のぼけ感を改善することができる。
【特許文献１】特開２００５−２６８８７号公報
【発明の開示】
【発明が解決しようとする課題】
【０００６】
しかしながら、疑似インパルス駆動では、ＬＥＤのバックライトをパルス発光とすることにより光量が減るため、ＬＣＤの動画のぼけ感を解消しても撮影条件によっては画像が暗くなるという問題が生じてしまう。
【０００７】
そこで、本発明は、上記事情に鑑み、ＬＣＤの動画のぼけ感を抑制するとともに、画像の明るさも確保する工夫が施された電子カメラを提供することを目的とする。
【課題を解決するための手段】
【０００８】
第１の発明に係る電子カメラは、撮像素子と、液晶表示部と、撮影モード切替部と、バックライト制御部と、を備える。撮像素子は、被写体を撮像して画像を生成する。液晶表示部は、画像を表示する液晶表示パネルと、液晶表示パネルの背面側に配置され、連続発光若しくはパルス発光するバックライトとを有する。撮影モード切替部は、動きのある被写体を撮影する撮影モードを含む複数の撮影モードの中から任意の撮影モードに切り替える。バックライト制御部は、撮影モードに応じてバックライトの発光状態を制御する。
【０００９】
第２の発明に係る電子カメラは、撮像素子と、液晶表示部と、操作部と、バックライト制御部と、を備える。撮像素子は、被写体を撮像して画像を生成する。液晶表示部は、画像を表示する液晶表示パネルと、液晶表示パネルの背面側に配置され、連続発光若しくはパルス発光するバックライトとを有する。操作部は、バックライトの発光状態の設定条件をマニュアル操作で設定する。バックライト制御部は、操作部の設定条件に応じてバックライトの発光状態を制御する。
【００１０】
第３の発明に係る電子カメラは、撮像素子と、液晶表示部と、動き検出部と、バックライト制御部と、を備える。撮像素子は、被写体を撮像して画像を生成する。液晶表示部は、画像を表示する液晶表示パネルと、液晶表示パネルの背面側に配置され、連続発光若しくはパルス発光するバックライトとを有する。動き検出部は、被写体の動きを検出する。バックライト制御部は、動き検出部の検出結果に応じてバックライトの発光状態を制御する。
【００１１】
第４の発明は、第１から第３のいずれか１の発明において、バックライト制御部は、パルス発光のデューティ比を変えることによりバックライトの発光状態を制御する。
【００１２】
第５の発明は、第４の発明において、バックライト制御部は、パルス発光のデューティ比の変更に応じて、バックライトに供給する電流を制御する。
【００１３】
第６の発明は、第５の発明において、バックライト制御部は、パルス発光のデューティ比の変更に拘わらず、バックライトに供給する電流の積分値を一定に制御する。
【００１４】
第７の発明は、第１から第３のいずれか１の発明において、パルス発光の発光状態に応じて、画像の輝度を補正する輝度補正部をさらに備える。
【００１５】
第８の発明は、第１から第３のいずれか１の発明において、焦点距離を変更するズーム制御部をさらに備え、バックライト制御部は、焦点距離に応じてバックライトの発光状態を制御する。
【００１６】
第９の発明は、第１から第３のいずれか１の発明において、バックライト制御部は、シャッタースピードの設定値に応じて、バックライトの発光状態を制御する。
【００１７】
第１０の発明は、動きのある撮影モードが、スポーツシーンを撮影するスポーツモードであって、バックライト制御部は、スポーツモードが選択された場合には、バックライトをパルス発光させる。
【発明の効果】
【００１８】
本発明の電子カメラによれば、ＬＣＤの動画のぼけ感を抑制するとともに、画像の明るさも確保する工夫が施された電子カメラが得られる。これにより、ユーザの利便性が向上する。
【発明を実施するための最良の形態】
【００１９】
（第１実施形態）
以下、図面に基づいて本発明の実施の形態を詳細に説明する。
【００２０】
図１は、第１実施形態の電子カメラ１を側面から見た概略断面図である。図１に示す通り電子カメラ１は、カメラ本体１０と、撮影レンズ１０ａを収容したレンズユニット１０ｂとを有する。
【００２１】
カメラ本体１０には、撮像素子１４と、ＣＰＵ（Ｃｅｎｔｒａｌ  Ｐｒｏｃｅｓｓｉｎｇ  Ｕｎｉｔ）２１、第１液晶表示部２３と、接眼レンズ３と、第２液晶表示部２５とが配置されている。撮像素子１４は、撮影レンズ１０ａの光軸に沿って配置されている。第１液晶表示部２３及び接眼レンズ３はカメラ本体１０内の上部領域に配置されている。第１液晶表示部２３は、第１液晶表示パネル２３ａと、連続発光若しくはパルス発光する第１ＬＥＤ２３ｂとを有する。第２液晶表示部２５は電子カメラ１の背面に配置されている。第２液晶表示部２５は、第２液晶表示パネル２５ａと、連続発光若しくはパルス発光する第２ＬＥＤ２５ｂとを有する。また、カメラ本体１０の上面には、レリーズボタン２０ａが備えられている。
【００２２】
図２は、図１に示す電子カメラ１の背面図である。図２に示す通り、電子カメラ１の背面側には、接眼レンズ３（不図示）を介して第１液晶表示パネル２３ａと、第２液晶表示パネル２５ａと、広角ズームキー２０ｂと、望遠ズームキー２０ｃと、電源ボタン２０ｄと、メニュー切替・実行キー２０ｅとが備えられている。第１液晶表示パネル２３ａは、電子ビューファインダ（ＥＶＦ）として機能する。第２液晶表示パネル２５ａは、静止画像、構図確認用のスルー画像、電子カメラ１の操作メニュー等を表示する。広角ズームキー２０ｂは、焦点距離を広角側に変更するための操作ボタンである。望遠ズームキー２０ｃは、焦点距離を望遠側に変更するための操作ボタンである。電源ボタン２０ｄは、電子カメラ１の電源をオンオフするボタンである。メニュー切替・実行キー２１ｅは、電子カメラ１で使用されるメニューを自在に切り替えて設定条件を選択若しくは実行する操作ボタンである。
【００２３】
図３は、電子カメラ１の構成を示すブロック図である。図３に示す通り電子カメラ１には、撮影レンズ１０ａと、レンズユニット１０ｂと、撮影レンズ駆動部１１と、絞り１２と、絞り駆動部１３と、撮像素子１４と、タイミングジェネレータ（ＴＧ）１５と、アナログフロントエンド部(以下、「ＡＦＥ」という。）１６と、画像処理部１７と、ＲＡＭ（Ｒａｎｄｏｍ  Ａｃｃｅｓｓ  Ｍｅｍｏｒｙ）１８と、ＲＯＭ（Ｒｅａｄ  Ｏｎｌｙ  Ｍｅｍｏｒｙ）１９と、操作部２０と、ＣＰＵ２１と、第１表示ドライバ２２、第１液晶表示部２３、第２表示ドライバ２４、第２液晶表示部２５、記録インターフェース（記録Ｉ／Ｆ）２６と、記録媒体２７と、接眼検出部２８、バス２９とが備えられている。このうち画像処理部１７、ＲＡＭ１８、ＲＯＭ１９、ＣＰＵ２１、第１表示ドライバ２２、第２表示ドライバ２４、記録インターフェース（記録Ｉ／Ｆ）２６及び接眼検出部２８は、バス２９を介して互いに接続されている。また、操作部２０はＣＰＵ２１に接続されている。
【００２４】
撮影レンズ１０ａは、ズームレンズと、フォーカスレンズとを含む複数のレンズ群で構成されている。なお、簡単のため、図３では、撮影レンズ１０ａを１枚のレンズとして図示する。撮影レンズ１０ａを構成する各々のレンズは、撮影レンズ駆動部１１によって光軸方向に移動する。なお、撮影レンズ駆動部１１の入出力はＣＰＵ２１と接続されている。
【００２５】
絞り１２は、撮影レンズ１０ａからの入射光量を調整する。絞り１２の開口量は、絞り駆動部１３によって調整される。なお、絞り駆動部１３の入出力はＣＰＵ２１と接続されている。
【００２６】
撮像素子１４は、撮影レンズ１０ａからの入射光を光電変換することにより、画像信号（アナログ信号）を生成する。なお、撮像素子１４は、撮影時に記録用の画像を出力する。また、撮影待機時には、撮像素子１４は、構図確認用のスルー画像を出力する。
【００２７】
また、タイミングジェネレータ（ＴＧ）１５は、ＣＰＵ２１からの指示に従い撮像素子１４及びＡＦＥ１６の各々へ向けて駆動信号を送出し、それによって両者の駆動タイミングを制御する。
【００２８】
ＡＦＥ１６は、撮像素子１４が生成する画像信号に対して信号処理を施すアナログフロントエンド回路である。このＡＦＥ１６は、画像信号のゲイン調整や、画像信号のＡ／Ｄ変換などを行う。このＡＦＥ１６が出力する画像信号（デジタル信号）は、画像処理部１７へ入力される。
【００２９】
画像処理部１７は、ＡＦＥ１６が出力するＲＧＢ信号の画像データをＲＡＭ１８のフレームメモリに一時的に記憶させる。また、画像処理部１６はＲＧＢ信号の画像データを輝度（Ｙ）と色（Ｃ）とで表されるＹＣ信号の画像データに変換する。
【００３０】
また、画像処理部１７は、フレームメモリに記憶されている画像データに対してホワイトバランス補正処理、ゲインコントロール処理などの画像処理を行う。
【００３１】
第１液晶表示部２３は、上述した通り、第１液晶表示パネル２３ａと第１ＬＥＤ２３ｂとを有する。第１ＬＥＤ２３ｂは、第１液晶表示パネル２３ａの背面側に配置されている。第１表示ドライバ２２は、後述するＣＰＵ２１のバックライト制御部２１ａの指示を受けてパルス発光のデューティ比を変えることにより第１ＬＥＤ２３ｂの発光状態を制御する。第１ＬＥＤ２３ｂは、複数のＬＥＤで構成されている。
【００３２】
また、第２液晶表示部２５は、上述した通り、第２液晶表示パネル２５ａと、第２ＬＥＤ２５ｂとを有する。第２ＬＥＤ２５ｂは、第２液晶表示パネル２５ａの背面側に配置されている。第２表示ドライバ２４は、第１表示ドライバ２２と同様、バックライト制御部２１ａの指示を受けてパルス発光のデューティ比を変えることにより第２ＬＥＤ２５ｂの発光状態を制御する。第２ＬＥＤ２５ｂも、複数のＬＥＤで構成されている。なお、バックライトとしてはＬＥＤに限られず、パルス発光可能なバックライトであればよい。
【００３３】
接眼検出部２８は、ユーザの視線が第１液晶表示パネル２３ａに向けられているか否かを検出するセンサである。このセンサは、一例として特開２００２−１５６６７５号公報に記載されている接眼検出処理を行うことにより、ユーザの視線が第１液晶表示パネル２３ａに向けられているか否かを検出する。
【００３４】
本実施形態の電子カメラ１は、電源がオンになると第２液晶表示部２５が動作する。この状態で、接眼検出部２８は、ユーザの視線が第１液晶表示パネル２３ａに向けられていることを検出すると、第２表示ドライバ２４は、第２ＬＥＤ２５ｂの発光を停止させる。一方、第１表示ドライバ２２は、第１ＬＥＤ２３ｂの発光を開始させる。
【００３５】
また、接眼検出部２８は、ユーザの視線が第１液晶表示パネル２３ａに向けられていないことを検出すると、第１表示ドライバ２２は、第１ＬＥＤ２３ｂの発光を開始させず、一方、第２表示ドライバ２４は、第２ＬＥＤ２５ｂの発光を維持する。これにより、電子カメラ１の電源がオン状態では、第１液晶表示部２３若しくは第２液晶表示部２５のいずれか一方が動作する。なお、液晶表示部を２つ備えたのは一例であって、これに限られるものではない。
【００３６】
記録インターフェース（記録Ｉ／Ｆ）２６には、記録媒体２７を接続するためのコネクタが形成されている。記録インターフェース（記録Ｉ／Ｆ）２６はＣＰＵ２１からの指示により、そのコネクタに接続された記録媒体２７にアクセスして画像の記録処理等を行う。
【００３７】
操作部２０は、既に図２で説明した電子カメラ１の背面及び上面に備えられている各操作ボタン（レリーズボタン２０ａ、広角ズームキー２０ｂ、望遠ズームキー２０ｃ、電源ボタン２０ｄ及びメニュー切替・実行キー２０ｅ）の操作を受付けてＣＰＵ２１に処理の命令を出す。
【００３８】
本実施形態では、撮影モードとして、一般的な撮影のオートモードに加え、動きのある被写体を撮影するのに適したスポーツモード、風景の撮影に適した風景モード、人物の撮影に適したポートレートモードが予め用意されている。これらの撮影モードは、ユーザが操作部２０を介して選択する。なお、オートモードでは、被写体が動いている場合や被写体が動いていない場合も想定される。そのため、オートモードでは被写体が動いている場合を想定し、後述するようにパルス発光を行う。
【００３９】
ＣＰＵ２１は、電子カメラ１の統括的な制御を行うプロセッサである。ＣＰＵ２１は、ＲＯＭ１９に予め格納されたシーケンスプログラムを実行することにより、各処理のパラメータを算出したり、電子カメラ１の各部を制御したりする。また、本実施形態のＣＰＵ２１は、バックライト制御部２１ａ、輝度補正部２１ｂとして機能する。
【００４０】
バックライト制御部２１ａは、パルス発光のデューティ比を変えることにより第１ＬＥＤ２３ｂ若しくは第２ＬＥＤ２５ｂの発光状態を制御する。また、バックライト制御部２１ａは、スポーツモードやオートモードの場合、ズームレンズの焦点距離に応じて第１ＬＥＤ２３ｂ若しくは第２ＬＥＤ２５ｂの発光状態をさらに変更する。
【００４１】
輝度補正部２１ｂは、パルス発光のデューティ比を変えることにより光量が減る分、画像が暗くなるのを補う処理を行う。一例として、輝度補正部２１ｂは、画像全体に対して輝度を上げる。
【００４２】
バックライト制御部２１ａは、撮影モードと、第１ＬＥＤ２３ｂ若しくは第２ＬＥＤ２５ｂの発光状態との対応関係が予め記憶されているテーブルを参照し、テーブルに基づいて発光状態を制御する。このテーブルは予めＲＯＭ１９に記憶されている。
【００４３】
図４は、デューティ比変更用のテーブルの一例を示す図である。例えば、スポーツモードの場合、焦点距離が予め定めた距離ａ［ｍｍ］以上の場合、パルス発光のデューティ比を４０％にする。一方、焦点距離が予め定めた距離ａ［ｍｍ］未満の場合、パルス発光のデューティ比を５０％とする。具体的な処理の詳細については後述する。なお、テーブルの項目は、一例であってこれに限定されるものではない。
【００４４】
次に、第１実施形態における電子カメラ１の動作の一例を説明する。
【００４５】
図５、６は、電子カメラ１の動作の一例を表すフローチャートである。ここでは、ユーザが電子カメラ１の電源をオンすると、前回電源オフしたときの撮影モードが起動する。この状態でユーザが撮影モードの変更を行った場合には、その変更した撮影モードで撮影が行われるものとする。なお、以下の説明では、ユーザが、第２液晶表示パネル２５ａを見ながら撮影するものとする。また、ユーザが電子カメラ１の電源をオンすると、第２ＬＥＤ２５ｂは連続発光をするものとする。
【００４６】
ステップＳ１０１：ＣＰＵ２１は、撮影モードを受付ける。
【００４７】
ステップＳ１０２：ＣＰＵ２１は、撮影モードを判定する。撮影モードがスポーツモードの場合、ステップＳ１０３に進むともに、ステップＳ１０４の処理に移行する。
【００４８】
ステップＳ１０４：ＣＰＵ２１は、図３に示す撮影レンズ１０ａの位置に基づいて現在の焦点距離を検出する。
【００４９】
ステップＳ１０５：ＣＰＵ２１は、現在の焦点距離が予め定めた距離ａ［ｍｍ］（望遠側）以上であるか否かを判定する。現在の焦点距離がａ［ｍｍ］以上である場合（ステップＳ１０５：Ｙｅｓ）、ステップＳ１０６に進む。本実施形態では、例えばａは１００とする。
【００５０】
ステップＳ１０６：ＣＰＵ２１は、図４に示すデューティ比変更用のテーブルを参照する。そして、ＣＰＵ２１は、第２ＬＥＤ２５ｂのパルス発光のデューティ比を４０％に決定する。ＣＰＵ２１のバックライト制御部２１ａは、第２ＬＥＤ２５ｂのパルス発光のデューティ比を４０％に設定し、第２表示ドライバ２４にパルス発光の指示を出す。第２表示ドライバ２４は、第２ＬＥＤ２５ｂのパルス発光のデューティ比を４０％にして発光させる。
【００５１】
図７は、デューティ比を変えた場合のパルス発光の一例を説明する図である。
【００５２】
図７（ａ）は、連続発光の場合における時間と第２ＬＥＤ２５ｂに供給する電流との関係を表している。なお、第１ＬＥＤ２３ｂについても同様とする。スルー画像のフレームレートは、一例として、１６．７ｍｓとする。連続発光の場合、第２ＬＥＤ２５ｂに供給する電流は連続的に一定である。
【００５３】
図７（ｂ）は、パルス発光の場合（デューティ比：５０％）における時間と第２ＬＥＤ２５ｂに供給する電流との関係を表している。また、図７（ｃ）は、パルス発光の場合（デューティ比：７０％）における時間と第２ＬＥＤ２５ｂに供給する電流との関係を表している。第２表示ドライバ２４は、スポーツモードであって焦点距離がａ［ｍｍ］以上の場合には、図７には示していないが、デューティ比を４０％とするデューティサイクルで第２ＬＥＤ２５ｂを発光させる。そして、ステップＳ１０７に進む。
【００５４】
ステップＳ１０７：ＣＰＵ２１の輝度補正部２１ｂは、パルス発光により光量が連続発光に比べて減る分、画像が暗くなるのを補うため画像全体に対して輝度を上げる。輝度補正部２１ｂでは、デューティ比に応じて輝度調整を行う。輝度補正部２１ｂは、例えば、デューティ比４０％の場合は、デューティ比５０％の場合に比べて輝度を高めに上げるようにする。なお、画像が暗くなるのを防ぐために、以下に説明する方法を採用してもよい。
【００５５】
図８は、デューティ比及び第２ＬＥＤ２５ｂに供給する電流を変えた場合のパルス発光の一例を説明する図である。なお、第１ＬＥＤ２３ｂについても同様とする。図８（ａ）は、連続発光の場合における、時間と第２ＬＥＤ２５ｂに供給する電流との関係を表している。図８（ｂ）は、第２ＬＥＤ２５ｂのデューティ比は５０％とし、第２ＬＥＤ２５ｂに供給する電流を図８（ａ）の場合と比較して２倍にしている。換言すると、パルス発光のデューティ比の変更に関わらず、第２ＬＥＤ２５ｂに供給する電流の積分値は一定となる。こうすると、輝度は連続発光の場合と同様になる。
【００５６】
なお、これは一例であって、第２ＬＥＤ２５ｂ（第１ＬＥＤ２３ｂ）に供給する電流も適宜変更してよい。
【００５７】
ステップＳ１０８：ＣＰＵ２１は、ユーザのズーム操作により焦点距離に変更が生じたか否かの判定を行う。焦点距離に変更が生じた場合（ステップＳ１０８：Ｙｅｓ）、焦点距離検出の処理（ステップＳ１０４）に戻る。一方、焦点距離に変更が生じなかった場合（ステップＳ１０８：Ｎｏ）、ステップＳ１０９に進む。
【００５８】
ステップＳ１０９：ＣＰＵ２１は、操作部２０からの全押し操作を受けて、本画像取得のため、タイミングジェネレータ（ＴＧ）１５を介して撮像素子１４を駆動させる。ＡＦＥ１６では、画像信号のゲイン調整や画像信号のＡ／Ｄ変換が行われる。このＡＦＥ１６が出力する画像信号（デジタル信号）は、画像処理部１７へ入力される。画像処理部１７は、ＡＦＥ１６が出力する本画像のデータをＲＡＭ１８のフレームメモリに記憶させる。
【００５９】
ステップＳ１１０： 画像処理部１７は、ホワイトバランス補正処理などの画像処理を行う。
【００６０】
ステップＳ１１１：ＣＰＵ２１は、本画像のデータを圧縮処理して記録媒体２７に保存する。
【００６１】
ステップＳ１１２：ＣＰＵ２１は、電源がオフされたか否かを判定する。電源がオフされない場合（ステップＳ１１２：Ｎｏ）、再び、ステップＳ１０１に戻る。一方、電源がオフされた場合（ステップＳ１１２：Ｙｅｓ）、この処理ルーチンは終了する。
【００６２】
次に、ステップＳ１０５の判定において、現在の焦点距離がａ［ｍｍ］未満である場合（ステップＳ１０５：Ｎｏ）について説明する。この場合、ステップＳ１１３に進む。
【００６３】
ステップＳ１１３：ＣＰＵ２１は、図４に示すデューティ比変更用のテーブルを参照する。そして、ＣＰＵ２１は、第２ＬＥＤ２５ｂのパルス発光のデューティ比を５０％に決定する。ＣＰＵ２１のバックライト制御部２１ａは、第２ＬＥＤ２５ｂのパルス発光のデューティ比を５０％に設定し、第２表示ドライバ２４にパルス発光の指示を出す。第２表示ドライバ２４は、第２ＬＥＤ２５ｂのパルス発光のデューティ比を５０％にして発光させる。そして、ステップＳ１１４に進む。
【００６４】
ステップＳ１１４：輝度補正部２１ｂは、パルス発光のデューティ比５０％に応じた輝度調整を行う。そして、ステップＳ１０８に進む。ステップＳ１０８以降の処理は、上述した内容と同様であるため、説明は省略する。
【００６５】
なお、上述したステップＳ１０８において、焦点距離の変更があった場合であって焦点距離がａ［ｍｍ］未満からａ［ｍｍ］以上になれば、その後の処理ルーチンによりＣＰＵ２１は第２ＬＥＤ２５ｂのデューティ比を５０％から４０％に変更する。この場合、デューティ比が５０％から４０％になることで、第２液晶表示パネル２５ａ上では画質がさらに優先されることになる。一般に、パルス発光において、パルス幅が短くなるほど動画のぼけは解消される。一方、焦点距離がａ［ｍｍ］以上からａ［ｍｍ］未満になれば、その後の処理ルーチンによりＣＰＵ２１は第２ＬＥＤ２５ｂのデューティ比を４０％から５０％に変更する。この場合、デューティ比が４０％から５０％になることで、第２液晶表示パネル２５ａ上では明るさがさらに優先されることになる。これは、一例であって、焦点距離に応じて多段階にデューティ比を変えてもよい。
【００６６】
次に、撮影モードがオートモードの場合について説明する。この場合、ステップＳ１０２の撮影モード判定結果を受けて、ステップＳ１１５のオートモードの処理に進むとともに、ステップＳ１１６の処理に移行する。
【００６７】
ステップＳ１１６：ＣＰＵ２１は、スポーツモードと同様、撮影レンズ１０ａの位置に基づいて現在の焦点距離を検出する。
【００６８】
ステップＳ１１７：ＣＰＵ２１は、現在の焦点距離が予め定めた距離ａ［ｍｍ］以上であるか否かを判定する。現在の焦点距離がａ［ｍｍ］以上である場合（ステップＳ１１７：Ｙｅｓ）、ステップＳ１１８に進む。
【００６９】
ステップＳ１１８：ＣＰＵ２１は、図４に示すデューティ比変更用のテーブルを参照する。そして、ＣＰＵ２１は、第２ＬＥＤ２５ｂのパルス発光のデューティ比を５０％に決定する。ＣＰＵ２１のバックライト制御部２１ａは、第２ＬＥＤ２５ｂのパルス発光のデューティ比を５０％に設定し、第２表示ドライバ２４にパルス発光の指示を出す。第２表示ドライバ２４は、第２ＬＥＤ２５ｂのパルス発光のデューティ比を５０％にして発光させる。そして、ステップＳ１１９に進む。
【００７０】
ステップＳ１１９：輝度補正部２１ｂは、デューティ比５０％に応じた輝度調整を行う。そして、ステップＳ１２０に進む。
【００７１】
ステップＳ１２０：ＣＰＵ２１は、ステップＳ１０８と同様の処理がなされ、焦点距離に変更が生じていれば（ステップＳ１２０：Ｙｅｓ）、ステップＳ１１６に戻る。一方、焦点距離に変更が生じていなければ（ステップＳ１２０：Ｎｏ）、ステップＳ１０９に進み、オートモードによる撮影条件により本画像の取得がなされる。ステップＳ１１０以降の処理は、スポーツモードと同様であるため、説明は省略する。
【００７２】
次に、ステップＳ１１７の判定において、現在の焦点距離がａ［ｍｍ］未満である場合（ステップＳ１１７：Ｎｏ）について説明する。この場合、ステップＳ１２１に進む。
【００７３】
ステップＳ１２１：ＣＰＵ２１は、ステップＳ１１８に述べた手順と同様、第２ＬＥＤ２５ｂのパルス発光のデューティ比を７０％に決定する。そして、第２表示ドライバ２４は、第２ＬＥＤ２５ｂのパルス発光のデューティ比を７０％にして発光させる。そして、ステップＳ１２２に進む。
【００７４】
ステップＳ１２２：輝度補正部２１ｂは、デューティ比７０％に応じた輝度調整を行う。そして、ステップＳ１２０に進む。ステップＳ１２０以降の処理は、オートモード（現在の焦点距離がａ［ｍｍ］以上である場合）と同様であるため、説明は省略する。
【００７５】
次に、撮影モードが風景モードの場合について説明する。この場合、ステップＳ１０２の撮影モード判定結果を受けて、ステップＳ１２３の風景モードの処理に進む。
【００７６】
ステップＳ１２３：ＣＰＵ２１は、図４に示すデューティ比変更用のテーブルを参照する。そして、ＣＰＵ２１は、第２ＬＥＤ２５ｂを連続発光（風景モード）に決定する。
【００７７】
ステップＳ１２４：ＣＰＵ２１のバックライト制御部２１ａは、第２ＬＥＤ２５ｂの連続発光を維持する。そして、ステップＳ１０９に進む。ステップＳ１０９では、風景モードによる撮影条件により本画像の取得がなされる。ステップＳ１１０以降の処理は、スポーツモードと同様であるため、説明は省略する。
【００７８】
次に、撮影モードがポートレートモードの場合について説明する。この場合、ステップＳ１０２の撮影モード判定結果を受けて、ステップＳ１２５のポートレートモードの処理に進む。
【００７９】
ステップＳ１２５：ＣＰＵ２１は、図４に示すデューティ比変更用のテーブルを参照する。そして、ＣＰＵ２１は、第２ＬＥＤ２５ｂを連続発光（ポートレートモード）に決定する。
【００８０】
ステップＳ１２６：ＣＰＵ２１のバックライト制御部２１ａは、第２ＬＥＤ２５ｂの連続発光を維持する。そして、ステップＳ１０９に進む。ステップＳ１０９では、ポートレートモードによる撮影条件により本画像の取得がなされる。ステップＳ１１０以降の処理は、スポーツモードと同様であるため、説明は省略する。
【００８１】
以上より、第１実施形態の電子カメラ１によれば、スポーツモードやオートモードにおいては、パルス駆動にすることにより、液晶表示パネルの動画のぼけ感を抑制する。さらに、輝度補正や電流制御を行うことにより、画面が暗くなるのを防ぐ。また、焦点距離を大きくして望遠側にした場合でも動画のぼけ感を抑制することができる。一方、風景モードやポートレートモードにおいては、液晶表示パネルの動画のぼけ感は考慮せずに、連続発光として明るさを保つことができる。従って、ユーザの利便性が向上する。
【００８２】
なお、上記説明では、第２液晶表示部２５を動作させたが、第１液晶表示部２３を動作させた場合も同様である。
【００８３】
次に、動画再生若しくは静止画再生時における電子カメラ１の動作について説明する。この場合、本実施形態では、動画再生時には、図７（ｂ）に示すように、デューティ比を設定してパルス発光とする。また、静止画撮影時には、図７（ａ）に示すように、連続発光とする。
【００８４】
以上より、動画再生時には、第２ＬＥＤ２５ｂ（第１ＬＥＤ２３ｂ）をパルス駆動することにより、動画のぼけ感を抑制することができるとともに、明るさも輝度補正することにより保つことができる。これにより、ユーザの利便性が向上する。
【００８５】
次に、第１実施形態の変形例について説明する。第１実施形態では、撮影モードに応じて、第１ＬＥＤ２３ｂや第２ＬＥＤ２５ｂにおけるパルス発光のデューティ比を決めていた。第１実施形態の変形例では、パルス発光のデューティ比を撮影モードに関係なく、ユーザがマニュアル設定してもよい。
【００８６】
また、ユーザがシャッタースピードをマニュアル設定できるシャッタースピード優先モードなどの機能を電子カメラ１が備えている場合には、ユーザが例えば１／２５０秒以上のシャッタースピードを設定すると、パルス駆動になるようにしてもよい。
【００８７】
（第２実施形態）
次に、本発明の第２実施形態について説明する。なお、本発明の第１実施形態と本発明の第２実施形態とでは、同じ要素については同じ符号を付して説明を省略する。
【００８８】
図９は、第２実施形態における電子カメラ２の構成を示すブロック図である。
図３に示す電子カメラ１の構成と比較して、電子カメラ２では、ＣＰＵ２１内に動き検出部２１ｃが新たに追加されている。動き検出部２１ｃは、例えば、公知の技術を用いて、スルー画像からのフレーム間差分に基づいて被写体の動きを検出する。なお、これは、一例であって、被写体の動きを検出する手段は、他の公知技術を用いてもよい。
【００８９】
次に、第２実施形態における電子カメラ２の動作の一例を説明する。
【００９０】
図１０は、電子カメラ２の動作の一例を表すフローチャートである。なお、ユーザは、第２液晶表示パネル２５ａ上で動き検出モードを選択した後、第１液晶表示パネル２３ａを覗き込んで撮影するものとする。この場合、第１ＬＥＤ２３ｂは連続発光しているものとする。
【００９１】
このフローチャートは、ユーザが被写体の動きを検出する動き検出モードを選択し、操作部２０からＣＰＵ２１が動き検出モードのコマンドを受付けると開始する。
【００９２】
ステップＳ２０１：図９に示すＣＰＵ２１の動き検出部２１ｃは、被写体の動きの検出を開始する。
【００９３】
ステップＳ２０２：動き検出部２１ｃは被写体の動きを検出した場合（ステップＳ２０２：Ｙｅｓ）、ステップＳ２０３に進む。
【００９４】
ステップＳ２０３：ＣＰＵ２１のバックライト制御部２１ａは、第１ＬＥＤ２３ｂのデューティ比を５０％に設定し、第１表示ドライバ２２にパルス発光の指示を出す。第１表示ドライバ２２は、第１ＬＥＤ２３ｂのデューティ比を５０％にして発光させる。
【００９５】
ステップＳ２０４：ＣＰＵ２１の輝度補正部２１ｂは、パルス発光のデューティ比を５０％に変えることにより光量が減る分、画像が暗くなるのを補うため、画像全体に対して輝度を上げる。
【００９６】
ステップＳ２０５：ＣＰＵ２１は、操作部２０からの全押し操作を受けて、本画像取得を取得する。
【００９７】
ステップＳ２０６： 画像処理部１７は、本画像のデータに対してホワイトバランス補正処理などの画像処理を行う。
【００９８】
ステップＳ２０７：ＣＰＵ２１は、本画像のデータを圧縮処理して記録媒体２７に保存する。
【００９９】
ステップＳ２０８：ＣＰＵ２１は、電源がオフされたか否かを判定する。電源がオフされない場合（ステップＳ２０８：Ｎｏ）、再び、ステップＳ２０１に戻る。一方、電源がオフされた場合（ステップＳ２０８：Ｙｅｓ）、この処理ルーチンは終了する。
【０１００】
次に、ステップＳ２０２の動き検出の判定で、被写体の動きを検出できなかった場合（ステップＳ２０２：Ｎｏ）について説明する。この場合、ステップＳ２０９に進む。
【０１０１】
ステップＳ２０９：ＣＰＵ２１のバックライト制御部２１ａは、第１ＬＥＤ２３ｂの連続発光を維持する。そして、ステップＳ２０５に進む。ステップＳ２０５以降の処理は、被写体の動きが検出された場合の処理と同様であるため、説明は省略する。
【０１０２】
以上、第２実施形態の電子カメラ２によれば、動き検出部２１ｃの検出結果に応じて第１ＬＥＤ２３ｂや第２ＬＥＤ２５ｂの発光状態を制御することができる。これにより、動画のぼけ感を抑制することができるとともに、明るさも確保することができる。従って、ユーザの利便性が向上する。なお、説明をわかりやすくするため、被写体の動きを検出した場合、第１ＬＥＤ２３ｂのデューティ比を５０％に設定したが、被写体の動き量に応じて、多段階にデューティ比を設定してもよい。
【０１０３】
本実施形態では、動きのある被写体を撮影するモードとして、スポーツモードやオートモードを用いて説明したが、スポーツモードやオートモードに限られず、被写体をぶれなく撮影する高速シャッターモード、打ち上げ花火をきれいに撮影する打ち上げ花火モードなど、動きのある被写体を撮影するモードであれば、いずれの撮影モードであってもよい。これらの撮影モードでは、第１ＬＥＤ２３ｂや第２ＬＥＤ２５ｂをパルス発光とする。また、動きのある被写体は、人物でなくてもよく、例えば、車や飛行機などの乗り物であってもよい。
【０１０４】
また、本実施形態では、スポーツモードやオートモード以外の撮影モードとして、風景モード、ポートレートモードを用いて説明した。ここでは、例えば、近接撮影に適したマクロモードや夜景をきれいに撮影する夜景モードなどであってもよく、被写体の動きが少ないと想定されるモードであれば、いずれの撮影モードであってよい。これらの撮影モードでは、風景モードやポートレートモードと同様にして、第１ＬＥＤ２３ｂや第２ＬＥＤ２５ｂを連続発光とする。
【０１０５】
また、本実施形態では、動画再生の場合について説明したが、いわゆるスライドショーの再生であってもよい。さらに、動画撮影においても、動画再生の場合と同様にして第１ＬＥＤ２３ｂや第２ＬＥＤ２５ｂをパルス発光としてよい。
【図面の簡単な説明】
【０１０６】
【図１】第１実施形態の電子カメラ１を側面から見た概略断面図
【図２】図１に示す電子カメラ１の背面図
【図３】電子カメラ１の構成を示すブロック図
【図４】デューティ比変更用のテーブルの一例を示す図
【図５】電子カメラ１の動作の一例を表すフローチャート
【図６】電子カメラ１の動作の一例を表すフローチャート
【図７】デューティ比を変えた場合のパルス発光の一例を説明する図
【図８】デューティ比及び第２ＬＥＤ２５ｂに供給する電流を変えた場合のパルス発光の一例を説明する図
【図９】第２実施形態における電子カメラ２の構成を示すブロック図
【図１０】電子カメラ２の動作の一例を表すフローチャート
【符号の説明】
【０１０７】
１、２・・・電子カメラ、２１ａ・・・バックライト制御部、２１ｂ・・・輝度補正部、２１ｃ・・・動き検出部、２２・・・第１表示ドライバ、２３・・・第１液晶表示部、２３ａ・・・第１液晶表示パネル、２３ｂ・・・第１ＬＥＤ、２４・・・第２表示ドライバ、２５・・・第２液晶表示部、２５ａ・・・第２液晶表示パネル、２５ｂ・・・第２ＬＥＤ
【図１】
2009260545.tif 000003
【図２】
2009260545.tif 000004
【図３】
2009260545.tif 000005
【図４】
2009260545.tif 000006
【図５】
2009260545.tif 000007
【図６】
2009260545.tif 000008
【図７】
2009260545.tif 000009
【図８】
2009260545.tif 000010
【図９】
2009260545.tif 000011
【図１０】
2009260545.tif 000012